(57)【要約】【課題】速報性の高さを維持しつつ、ユーザが求める情報をより確実に表示することの可能な情報表示端末、システム、方法及びプログラムを提供する。【解決手段】情報表示端末３は、情報表示部３３に表示する情報が属するカテゴリの表示優先順位を指定する操作を受け付ける表示優先順位指定操作受付部３１と、情報表示部３３が表示する情報を逐次切り替える情報切替部３４とを備える。情報切替部３４は、より表示優先順位の高いカテゴリに属する情報を情報受信部３２が受信するまでの期間に限って、より表示優先順位の低いカテゴリに属する情報を情報受信部３２が受信した順に逐次切り替える。【選択図】図１
2011215862.tif 000002
【特許請求の範囲】
【請求項１】
一定の画面枠に、サーバから配信される情報を順次表示する情報表示端末であって、
前記サーバから配信される情報を、この情報が属するカテゴリを識別するためのカテゴリ識別情報とともに受信する情報受信手段と、
前記情報受信手段が受信した情報を逐次表示する情報表示手段と、
前記情報表示手段に表示する情報が属するカテゴリの表示優先順位を指定する操作を受け付ける表示優先順位指定操作受付手段と、
前記情報表示手段が表示する情報を逐次切り替える情報切替手段とを備え、
前記情報切替手段は、より表示優先順位の高いカテゴリに属する情報を前記情報受信手段が受信するまでの期間に限って、より表示優先順位の低いカテゴリに属する情報を前記情報受信手段が受信した順に逐次切り替える情報表示端末。
【請求項２】
請求項１に記載の情報表示端末であって、
前記表示優先順位指定操作受付手段が受け付けた表示優先順位を、該表示優先順位が高いほど、長い表示時間と関連付けて記憶する表示優先順位記憶手段を備え、
前記情報表示手段は、前記情報切替手段が切り替えた情報を、その切り替えた情報のカテゴリの表示優先順位と関連付けられた時間の間だけ表示する情報表示端末。
【請求項３】
情報を配信するサーバと、このサーバから配信される情報を一定の画面枠に順次表示する情報表示端末とを備えるシステムであって、
前記サーバは、
前記情報を、この情報が属するカテゴリを識別するためのカテゴリ識別情報とともに配信する情報配信手段を有し、
前記情報表示端末は、
前記サーバから配信された情報を前記カテゴリ識別情報とともに受信する情報受信手段と、
前記情報受信手段が受信した情報を表示する情報表示手段と、
前記情報表示手段に表示する情報が属するカテゴリの表示優先順位を指定する操作を受け付ける表示優先順位指定操作受付手段と、
前記情報表示手段が表示する情報を逐次切り替える情報切替手段とを有し、
前記情報切替手段は、より表示優先順位の高いカテゴリに属する情報を前記情報受信手段が受信するまでの期間に限って、より表示優先順位の低いカテゴリに属する情報を前記情報受信手段が受信した順に逐次切り替えるシステム。
【請求項４】
サーバから配信される情報を、情報表示端末の一定の画面枠に順次表示する方法であって、
前記情報表示端末は、
前記サーバから配信される情報を、この情報が属するカテゴリを識別するためのカテゴリ識別情報とともに受信する情報受信工程と、
前記情報受信工程で受信した情報を逐次表示する情報表示工程と、
前記情報表示工程で表示した情報が属するカテゴリの表示優先順位を指定する操作を受け付ける表示優先順位指定操作受付工程と、
前記情報表示工程で表示する情報を逐次切り替える情報切替工程とを含み、
前記情報切替工程では、より表示優先順位の高いカテゴリに属する情報を前記情報受信工程で受信するまでの期間に限って、より表示優先順位の低いカテゴリに属する情報を前記情報受信工程で受信した順に逐次切り替える方法。
【請求項５】
サーバから配信される情報を、情報表示端末の一定の画面枠に順次表示させるためのプログラムであって、
前記サーバから配信される情報を、この情報が属するカテゴリを識別するためのカテゴリ識別情報とともに受信する情報受信工程と、
前記情報受信工程で受信した情報を逐次表示する情報表示工程と、
前記情報表示工程で表示した情報が属するカテゴリの優表示先順位を指定する操作を受け付ける表示優先順位指定操作受付工程と、
前記情報表示工程で表示する情報を逐次切り替える情報切替工程とを前記情報表示端末に実行させ、
前記情報切替工程では、より表示優先順位の高いカテゴリに属する情報を前記情報受信工程で受信するまでの期間に限って、より表示優先順位の低いカテゴリに属する情報を前記情報受信工程で受信した順に逐次切り替える処理を前記情報表示端末に実行させるためのプログラム。
【発明の詳細な説明】
【技術分野】
【０００１】
本発明は、情報表示端末、システム、方法及びプログラムに関する。
【背景技術】
【０００２】
近年では、ＴＷＩＴＴＥＲ（登録商標）等のサービスが急速に普及している（例えば、非特許文献１参照）。ＴＷＩＴＴＥＲは、単にユーザがつぶやいた独り言の文字列等を通信ネットワークを介して受信して公衆に閲覧可能に記憶するだけのものであるが、所定のユーザのつぶやきを更新のつど閲覧したり（フォロー）、あるユーザのつぶやきに対して他のユーザがそれを引用して自らのつぶやきとしたり（リツイート）、所定のユーザのつぶやきに自らのコメントを追加して投稿したり（クオートツイート）することもできる。このように、さまざまな形態での応答が発展することにより、あたかも大勢で会話しているような感覚を与えることができる。
【０００３】
また、ＴＷＩＴＴＥＲの魅力として、速報性の高さも挙げられる。例えば、どこかで地震が起こると、「地震だ！」というつぶやきが投稿され、このつぶやきに対し、フォロー、リツイート、クオートツイートが次々に行われる。その結果、地震が発生したことの情報をテレビのニュースやインターネットのニュースサイトよりも早く提供できる場合がある。
【先行技術文献】
【非特許文献】
【０００４】
【非特許文献１】ツイッター完全活用術、日本、アスキー・メディアワークス、２０１０年２月２６日、８〜９頁
【発明の概要】
【発明が解決しようとする課題】
【０００５】
しかし、既存の技術では、ユーザの端末は、サーバから配信される情報を、配信された順に順次表示するだけである。そのため、例えば、地震の震源地から遠いユーザにとって、地震の情報は、特段重要ではないが、この地震の情報が短時間に多数配信されることにより、ユーザは、より重要な情報を閲覧できなくなる可能性がある。即ち、ユーザの端末が、一定の画面枠にサーバから配信される大量の情報を順次表示する際に、重要な情報が画面外に流れてしまい、ユーザが重要な情報を見逃してしまう可能性がある。
【０００６】
本発明は、大量の情報を、速報性の高さを維持しつつ、ユーザが求める情報をより確実に、かつ、効率良く表示することにより、重要な情報が画面外に流れてしまい、ユーザが重要な情報を見逃してしまう可能性を低減することが可能な情報表示端末、システム、方法及びプログラムを提供することを目的とする。
【課題を解決するための手段】
【０００７】
本発明では、以下のような解決手段を提供する。
【０００８】
（１）  一定の画面枠に、サーバから配信される情報を順次表示する情報表示端末であって、前記サーバから配信される情報を、この情報が属するカテゴリを識別するためのカテゴリ識別情報とともに受信する情報受信手段と、前記情報受信手段が受信した情報を逐次表示する情報表示手段と、前記情報表示手段に表示する情報が属するカテゴリの表示優先順位を指定する操作を受け付ける表示優先順位指定操作受付手段と、前記情報表示手段が表示する情報を逐次切り替える情報切替手段とを備え、前記情報切替手段は、より表示優先順位の高いカテゴリに属する情報を前記情報受信手段が受信するまでの期間に限って、より表示優先順位の低いカテゴリに属する情報を前記情報受信手段が受信した順に逐次切り替える情報表示端末。
【０００９】
（１）に記載の発明によれば、表示優先順位指定操作受付手段は、情報表示手段に表示する情報が属するカテゴリの表示優先順位を指定する操作を受け付ける。そして、情報切替手段は、情報表示手段が表示する情報を逐次切り替えるところ、表示優先順位の低いカテゴリに属する情報に関しては、より表示優先順位の高いカテゴリに属する情報を情報受信手段が受信するまでの期間に限って、情報受信手段が受信した順に逐次切り替える。
これにより、表示優先順位の低いカテゴリに属する情報が短時間に多数配信された場合であっても、表示優先順位が高いカテゴリに属する情報を古い順から漏れなく表示できるので、速報性の高さを維持しつつ、ユーザにとって重要な情報をより確実に表示することの可能な情報表示端末を提供することができる。即ち、情報表示端末が、一定の画面枠にサーバから配信される大量の情報を順次表示する際に、重要な情報が画面外に流れてしまい、ユーザが重要な情報を見逃してしまう可能性を低減することができる。
また、情報切替手段は、第１の表示優先順位のカテゴリに属する情報を全て表示した場合には、次の表示優先順位のカテゴリに属する情報に切り替え、当該次の表示優先順位のカテゴリに属する情報を全て表示した場合には、さらに次の表示優先順位のカテゴリに属する情報に切り替えることから、情報表示手段では、空き時間がなく常に何らかの情報を表示できるので、ユーザが飽きることのない情報表示端末を提供することができる。
【００１０】
（２）  （１）に記載の情報表示端末であって、前記表示優先順位指定操作受付手段が受け付けた表示優先順位を、該表示優先順位が高いほど、長い表示時間と関連付けて記憶する表示優先順位記憶手段を備え、前記情報表示手段は、前記情報切替手段が切り替えた情報を、その切り替えた情報のカテゴリの表示優先順位と関連付けられた時間の間だけ表示する情報表示端末。
【００１１】
（２）に記載の発明によれば、情報表示手段は、高い表示優先順位のカテゴリに属する情報を長時間表示するため、表示優先順位の低いカテゴリに属する情報が同時に多数配信された場合であっても、表示優先順位が高いカテゴリに属する情報を時間をかけて閲覧することの可能な情報表示端末を提供することができる。
また、上位のカテゴリに属する情報を全て表示した場合には、下位のカテゴリに属する情報を短時間表示するため、下位のカテゴリに属する情報であっても、短時間でできるだけ多く把握することの可能な情報表示端末を提供することができる。
【００１２】
（３）  情報を配信するサーバと、このサーバから配信される情報を一定の画面枠に順次表示する情報表示端末とを備えるシステムであって、前記サーバは、前記情報を、この情報が属するカテゴリを識別するためのカテゴリ識別情報とともに配信する情報配信手段を有し、前記情報表示端末は、前記サーバから配信された情報を前記カテゴリ識別情報とともに受信する情報受信手段と、前記情報受信手段が受信した情報を表示する情報表示手段と、前記情報表示手段に表示する情報が属するカテゴリの表示優先順位を指定する操作を受け付ける表示優先順位指定操作受付手段と、前記情報表示手段が表示する情報を逐次切り替える情報切替手段とを有し、前記情報切替手段は、より表示優先順位の高いカテゴリに属する情報を前記情報受信手段が受信するまでの期間に限って、より表示優先順位の低いカテゴリに属する情報を前記情報受信手段が受信した順に逐次切り替えるシステム。
【００１３】
（４）  サーバから配信される情報を、情報表示端末の一定の画面枠に順次表示する方法であって、前記情報表示端末は、前記サーバから配信される情報を、この情報が属するカテゴリを識別するためのカテゴリ識別情報とともに受信する情報受信工程と、前記情報受信工程で受信した情報を逐次表示する情報表示工程と、前記情報表示工程で表示した情報が属するカテゴリの表示優先順位を指定する操作を受け付ける表示優先順位指定操作受付工程と、前記情報表示工程で表示する情報を逐次切り替える情報切替工程とを含み、前記情報切替工程では、より表示優先順位の高いカテゴリに属する情報を前記情報受信工程で受信するまでの期間に限って、より表示優先順位の低いカテゴリに属する情報を前記情報受信工程で受信した順に逐次切り替える方法。
【００１４】
（５）  サーバから配信される情報を、情報表示端末の一定の画面枠に順次表示させるためのプログラムであって、前記サーバから配信される情報を、この情報が属するカテゴリを識別するためのカテゴリ識別情報とともに受信する情報受信工程と、前記情報受信工程で受信した情報を逐次表示する情報表示工程と、前記情報表示工程で表示した情報が属するカテゴリの表示優先順位を指定する操作を受け付ける表示優先順位指定操作受付工程と、前記情報表示工程で表示する情報を逐次切り替える情報切替工程とを前記情報表示端末に実行させ、前記情報切替工程では、より表示優先順位の高いカテゴリに属する情報を前記情報受信工程で受信するまでの期間に限って、より表示優先順位の低いカテゴリに属する情報を前記情報受信工程で受信した順に逐次切り替える処理を前記情報表示端末に実行させるためのプログラム。
【００１５】
（３）に記載のシステムによれば、当該システムに係る発明を実施することにより、（１）と同様の効果が期待できる。（４）に記載の方法によれば、当該方法に係る発明を実施することにより、（１）と同様の効果が期待できる。また、（５）記載のプログラムによれば、当該プログラムに係る発明を実施することにより、（１）と同様の効果が期待できる。
【発明の効果】
【００１６】
本発明によれば、大量の情報を、速報性の高さを維持しつつ、ユーザが求める情報をより確実に、かつ、効率良く表示することにより、重要な情報が画面外に流れてしまい、ユーザが重要な情報を見逃してしまう可能性を低減することが可能な情報表示端末、システム、方法及びプログラムを提供できる。
【図面の簡単な説明】
【００１７】
【図１】本実施形態に係るシステム１を説明するための全体構成を示す図である。
【図２】本実施形態に係る表示優先順位データベース４１を示す図である。
【図３】本実施形態に係る受信情報データベース４２を示す図である。
【図４】本実施形態に係る情報表示端末３のフローチャートである。
【図５】本実施形態に係るシステム１、情報表示端末３、方法及びプログラムを実施したときの時刻と表示内容との関係の一例を示す図である。
【発明を実施するための形態】
【００１８】
以下、本発明の実施形態について図を参照しながら説明する。
【００１９】
［全体構成］
図１は、本実施形態に係るシステム１及び情報表示端末３を説明するための全体構成を示す図である。システム１は、情報を配信するサーバ２と、このサーバ２とネットワークを介して接続され、サーバ２から配信される情報を、受信した順に配列して表示する情報表示端末３とを備える。情報表示端末３は、一定の大きさの画面枠を有するものであれば、種類を問うものではない。例えば、情報表示端末３は、携帯端末であってもよいし、店舗等に設置されるデジタルサイネージであってもよい。
【００２０】
まず、サーバ２の構成について説明する。サーバ２は、制御部１０を備える。制御部１０は、サーバ２に係る各機能を統括的に制御する部分であり、情報表示端末３に情報を、この情報が属するカテゴリを識別するためのカテゴリ識別情報とともに配信する情報配信部１１を備える。この情報配信部１１は、情報配信手段として機能する。
【００２１】
続いて、情報表示端末３の構成について説明する。情報表示端末３は、制御部３０と、記憶部４０とを備える。制御部３０は、情報表示端末３に表示する情報が属するカテゴリの表示優先順位を指定する操作を受け付ける表示優先順位指定操作受付部３１を備え、記憶部４０は、表示優先順位指定操作受付部３１で受け付けた表示優先順位の内容を記憶する表示優先順位データベース４１を備える。これら表示優先順位指定操作受付部３１及び表示優先順位データベース４１は、表示優先順位指定操作受付手段として機能する。
【００２２】
表示優先順位データベース４１は、図２に例示される。表示優先順位データベース４１は、サーバ２から配信される情報が属するカテゴリを識別するための「カテゴリ」フィールドと、配信された情報を情報表示端末３に表示させる優先順位を識別するための「表示優先順位」フィールドと、配信された情報を情報表示端末３に表示させる時間を示す「表示時間」フィールドとを有する。例えば、ユーザが、優先順位をカテゴリ「Ａ」、「Ｂ」、「Ｃ」の順であると指定したときは、表示優先順位データベース４１のカテゴリフィールド「Ａ」に対しては１が、「Ｂ」に対しては２が、「Ｃ」に対しては３が記憶される。
【００２３】
表示優先順位と表示時間との間は、対応関係がある。本実施形態では、表示優先順位が高いほど表示時間が長い。例えば、本実施形態では、表示優先順位「１」に対して表示時間「１分」が対応し、表示優先順位「２」に対して表示時間「３０秒」が対応し、表示優先順位「３」に対して表示時間「１０秒」が対応する。
【００２４】
図１に戻り、制御部３０は、情報配信部１１から配信された情報をこの情報が属するカテゴリの情報とともに逐次受信する情報受信部３２とを備える。そして、記憶部４０は、情報受信部３２が受信した情報を記憶する受信情報データベース４２を備える。情報受信部３２及び受信情報データベース４２は、情報受信手段として機能する。
【００２５】
受信情報データベース４２は、図３に例示される。受信情報データベース４２は、情報をサーバ２から受信した時刻を示す「受信時刻」フィールドと、その情報が属するカテゴリを示す「カテゴリ」フィールドと、その情報の内容を示す「受信情報」フィールドとを有する。
【００２６】
図３の例では、情報受信部３２は、２０１０年３月９日１７時２４分４５秒に、カテゴリ「Ａ」に属する情報「○○○（Ａ１）」を受信し、続いて、同２５分０６秒に、カテゴリ「Ｃ」に属する情報「△△△（Ｃ１）」を受信している。そして、受信情報データベース４２には、これらの情報が記憶されている。
【００２７】
制御部３０は、情報受信部３２が受信した情報を、原則として、その情報が属するカテゴリの表示優先順位と関連付けられた時間の間だけ表示する情報表示部３３を備える。情報表示部３３は、情報表示手段として機能する。図３を例にすると、情報受信部３２は、２０１０年３月９日１７時２４分４５秒にカテゴリＡに属する情報○○○（以下「Ａ１」という。）を受信している。図２の表示優先順位データベース４１によると、カテゴリＡの表示時間は１分なので、情報表示部３３は、１７時２４分４５秒に受信したＡ１を、原則として、１７時２４分４５秒から１分間（すなわち、１７時２５分４５秒まで）表示する。
【００２８】
制御部３０は、情報表示部３３が表示する情報を逐次切り替える情報切替部３４を備える。この情報切替部３４は、情報切替手段として機能する。
【００２９】
情報切替部３４は、より表示優先順位の高いカテゴリに属する情報を情報受信部３２が受信するまでの期間に限って、より表示優先順位の低いカテゴリに属する情報を情報受信部３２が受信した順に逐次切り替える。
【００３０】
例えば、情報表示部３３がカテゴリＢに属する情報を表示している間に、より表示優先順位の高いカテゴリＡに属する情報を情報受信部３２が受信した場合について説明する。情報切替部３４は、より表示優先順位の高いカテゴリに属する情報を情報受信部３２が受信するまでの期間に限って、より表示優先順位の低いカテゴリに属する情報を情報受信部３２が受信した順に逐次切り替えるため、より表示優先順位の高いカテゴリに属する情報を情報受信部３２が受信したときは、情報表示部３３で情報を表示中であっても、情報切替部３４は、新たに受信した情報に情報を切り替える。そこで、情報切替部３４は、情報表示部３３がカテゴリＢに属する情報を表示している間であっても、より表示優先順位の高いカテゴリＡに属する情報を情報受信部３２が受信したことに応じて、情報の切り替えを行い、情報表示部３３は、この新たに受信したカテゴリＡに属する情報の表示を行う。
【００３１】
一方、情報切替部３４は、より表示優先順位の高いカテゴリに属する情報を情報受信部３２が受信しなければ、情報の切り替えを行わない。そのため、情報表示部３３がカテゴリＢに属する情報を表示している間に、より表示優先順位の低いカテゴリＣに属する情報を情報受信部３２が受信しても、情報の切り替えは行われず、情報表示部３３では、カテゴリＢに属する情報を継続して表示する。
【００３２】
［本実施形態のハードウェア及びソフトウェアの構成］
本実施形態のハードウェア及びソフトウェアの構成について説明する。サーバ２及び情報表示端末３のハードウェアには、制御装置（制御部）としてのＣＰＵの他、記憶装置（記憶部）、通信装置（通信部）、表示装置（表示部）及び入力装置（入力部）が含まれる。記憶装置（記憶部）としては、例えば、メモリ（ＲＡＭ、ＲＯＭ等）、ハードディスクドライブ（ＨＤＤ）又は光ディスク（ＣＤ、ＤＶＤ等）ドライブ等が挙げられる。通信装置（通信部）としては、例えば、各種有線又は無線インターフェース装置等が挙げられる。表示装置（表示部）としては、例えば、液晶ディスプレイ又はプラズマディスプレイ等の各種ディスプレイが挙げられる。入力装置（入力部）としては、例えば、キーボード、ポインティング・デバイス（マウス等）又はリモコン装置等が挙げられる。
【００３３】
サーバ２及び情報表示端末３のソフトウェアには、上記ハードウェアを制御するプログラムやデータが含まれる。プログラムやデータは、記憶装置（記憶部）により記憶され、制御装置（制御部）により適宜実行、参照される。また、コンピュータ・プログラムやデータは、電磁的方法により配布することも可能であり、ＣＤ−ＲＯＭ等のコンピュータ可読媒体に記録して配布することも可能である。
【００３４】
［フローチャート］
図４は、本実施形態に係る情報表示端末３のフローチャートである。
【００３５】
ステップＳ１では、表示優先順位指定操作受付部３１は、情報表示部３３に表示する情報の表示優先順位を指定する操作を受け付ける。この処理で受け付けた内容は、表示優先順位データベース４１に記憶される。例えば、図２で例示したように、ユーザが、カテゴリ「Ａ」に属する情報を優先順位「１」と指定し、カテゴリ「Ｂ」に属する情報を優先順位「２」と指定し、カテゴリ「Ｃ」に属する情報を優先順位「３」と指定する場合、表示優先順位指定操作受付部３１は、この指定の操作を受け付け、表示優先順位データベース４１に記憶させる。
【００３６】
ステップＳ２では、情報受信部３２は、サーバ２の情報配信部１１から配信された情報を受信する。ステップＳ３では、情報表示部３３は、情報受信部３２が受信した情報の表示を行う。この表示は、原則として、その情報が属するカテゴリの表示優先順位と関連付けられた時間だけ行われる。
【００３７】
ステップＳ４では、制御部３０は、情報受信部３２が、より表示優先順位の高いカテゴリに属する情報を受信したか否かを判別する。本実施形態では、情報受信部３２は、情報表示部３３での表示とは非同期に、サーバ２にデータを要求するポーリング処理を行うものであり、情報表示部３３での表示と同期する処理、すなわち、サーバ２に対して情報の配信を要求し、サーバ２から情報を受信し、その受信した情報を表示するといった処理を繰り返すものではない。この判別がＹＥＳのときは、制御部３０は、処理をステップＳ５に移し、ＮＯのときは、制御部３０は、処理をステップＳ６に移す。
【００３８】
ステップＳ５では、情報表示部３３は、現在表示している情報の表示を中止し、情報切替部３４は、新たに受信した情報に切り替える。そして、情報表示部３３は、情報切替部３４が切り替えた新たな情報を表示する。
【００３９】
ステップＳ６では、制御部３０は、表示優先順位データベース４１に記憶された表示時間が経過したか否かを判別する。この判別がＹＥＳのときは、制御部３０は、処理をステップＳ７に移し、ＮＯのときは、制御部３０は、処理をステップＳ４に移す。
【００４０】
ステップＳ７では、制御部３０は、受信情報データベース４２に記憶された情報のうち、未だ情報表示部３３で表示していない情報があるか否かを判別する。この判別がＹＥＳのときは、制御部３０は、処理をステップＳ８に移し、ＮＯのときは、制御部３０は、一連の処理を終了する。
【００４１】
ステップＳ８では、情報切替部３４は、未だ情報表示部３３で表示していない情報のうち、表示優先順位がより高く、受信時刻がより古い情報に切り替え、情報表示部３３は、情報切替部３４が切り替えた情報を表示する。
【００４２】
［本実施形態に係るシステム１の実施例］
図５は、本実施形態に係るシステム１、情報表示端末３、方法及びプログラムを実施したときの時刻と表示内容との関係の一例を示す図である。
【００４３】
ここでは、現在の時刻が２０１０年３月９日１７時２４分４５秒であり、この時刻において情報表示端末３がカテゴリＡに属する情報○○○（以下「Ａ１」という。）を受信し、この情報Ａ１の表示を情報表示端末３で開始することを基準に説明する。現在の時刻が２０１０年３月９日１７時２４分４５秒である場合、情報受信部３２は、情報配信部１１から、配信開始時刻が１７時２４分４５秒以前の情報（図３の例では、Ａ１）を受信する。図２の表示優先順位データベース４１によると、カテゴリ「Ａ」の表示時間は１分である。そこで、情報表示部３３は、１７時２４分４５秒に受信したＡ１を、原則として、１７時２４分４５秒から１分間（すなわち、１７時２５分４５秒まで）表示する。
【００４４】
情報表示部３３がＡ１を表示する１分間の間に、情報受信部３２は、１７時２５分６秒にカテゴリＣに属する情報△△△（以下「Ｃ１」という。）を受信し、同３５秒にカテゴリＢに属する情報□□□（以下「Ｂ１」という。）を受信している。情報切替部３４は、より表示優先順位の高いカテゴリに属する情報を情報受信部３２が受信するまでの期間に限って、より表示優先順位の低いカテゴリに属する情報を情報受信部３２が受信した順に逐次切り替える。言い換えると、情報切替部３４は、より表示優先順位の高いカテゴリに属する情報を情報受信部３２が受信しなければ、情報の切り替えを行わない。そのため、Ａ１の表示中に、より表示優先順位の低いＣ１やＢ１を受信しても、情報切替部３４は、情報の切り替えを行わず、情報表示部３３では、原則通り、Ａ１を１分間表示する。
【００４５】
続いて、時刻が１７時２４分４５秒から１分間経過したときについて説明する。情報受信部３２は、この１分間の間に、より表示優先順位の高いカテゴリに属する情報を受信していないことから、情報切替部３４は、未だ情報表示部３３で表示していないＢ１及びＣ１のうち、表示優先順位がより高いＢ１に切り替える。図２の表示優先順位データベース４１によると、カテゴリＢの表示時間は３０秒である。そこで、情報表示部３３は、１７時２４分３５秒に受信したＢ１を、原則として、Ａ１の表示を終了した１７時２５分４５秒から３０秒間（すなわち、１７時２６分１５秒まで）表示する。
【００４６】
情報表示部３３がＢ１を表示する３０秒間の間に、情報受信部３２は、１７時２６分０２秒にカテゴリＣに属する情報○△□（以下「Ｃ２」という。）を受信し、同１０秒にカテゴリＢに属する情報○△×（以下「Ｂ２」という。）を受信している。情報切替部３４は、より表示優先順位の高いカテゴリに属する情報を情報受信部３２が受信しなければ、情報の切り替えを行わないため、Ｂ１の表示中に、より表示優先順位の高いカテゴリではないＣ２やＢ２を受信しても、情報切替部３４は、情報の切り替えを行わず、情報表示部３３では、原則通り、Ｂ１を３０秒間表示する。
【００４７】
続いて、時刻が１７時２５分４５秒から３０秒間経過したときについて説明する。情報受信部３２は、この３０秒間の間に、より表示優先順位の高いカテゴリに属する情報を受信していないことから、情報切替部３４は、未だ情報表示部３３で表示していないＢ２、Ｃ１及びＣ２のうち、表示優先順位がより高いＢ２に切り替える。図２の表示優先順位データベース４１によると、カテゴリＢの表示時間は３０秒なので、情報表示部３３は、１７時２６分０２秒に受信したＢ２を、原則として、Ｂ１の表示を終了した１７時２６分１５秒から３０秒間（すなわち、同４５秒まで）表示する。
【００４８】
情報表示部３３がＢ２を表示する間に、情報受信部３２は、１７時２６分２５秒にカテゴリＣに属する情報△○□（以下「Ｃ３」という。）を受信するが、このＣ３は、カテゴリＢより表示優先順位の高いカテゴリに属する情報ではないため、Ｂ２の表示中に、Ｃ３を受信しても、情報切替部３４は、情報の切り替えを行わない。
【００４９】
しかし、情報受信部３２は、同３８秒にカテゴリＡに属する情報△○×（以下「Ａ２」という。）を受信する。このＡ２は、カテゴリＢより表示優先順位の高いカテゴリに属するため、情報切替部３４は、情報表示部３３がＢ２を表示している間であっても、より表示優先順位の高いＡ２を情報受信部３２が受信したことに応じて、情報の切り替えを行う。図２の表示優先順位データベース４１によると、カテゴリ「Ａ」の表示時間は１分である。そこで、情報表示部３３は、１７時２６分３８秒に受信したＡ２を、原則として、１７時２６分３８秒から１分間（すなわち、１７時２７分３８秒まで）表示する。
【００５０】
情報表示部３３がＡ２を表示する１分間の間に、情報受信部３２は、１７時２７分１２秒にカテゴリＣに属する情報△×○（以下「Ｃ４」という。）を受信する。情報切替部３４は、より表示優先順位の高いカテゴリに属する情報を情報受信部３２が受信しなければ、情報の切り替えを行わないため、Ａ２の表示中に、より表示優先順位の低いＣ４を受信しても、情報切替部３４は、情報の切り替えを行わず、情報表示部３３では、原則通り、Ａ２を１分間表示する。
【００５１】
続いて、時刻が１７時２６分３８秒から１分間経過したときについて説明する。情報受信部３２は、この１分間の間に、より表示優先順位の高いカテゴリに属する情報を受信していないことから、情報切替部３４は、未だ情報表示部３３で表示していないＣ１〜Ｃ４のうち、表示優先順位がより高く、受信時刻がより古いＣ１に切り替える。図２の表示優先順位データベース４１によると、カテゴリＣの表示時間は１０秒なので、情報表示部３３は、１７時２５分０６秒に受信したＣ１を、原則として、Ａ２の表示を終了した１７時２７分３８秒から１０秒間（すなわち、同４８秒まで）表示する。
【００５２】
しかし、情報受信部３２は、同４２秒にカテゴリＢに属する情報□△○（以下「Ｂ３」という。）を受信する。このＢ３は、カテゴリＣより表示優先順位の高いカテゴリに属するため、情報切替部３４は、情報表示部３３がＣ１を表示している間であっても、より表示優先順位の高いＢ３を情報受信部３２が受信したことに応じて、情報の切り替えを行う。図２の表示優先順位データベース４１によると、カテゴリ「Ｂ」の表示時間は３０秒である。そこで、情報表示部３３は、１７時２７分４２秒に受信したＢ３を、原則として、１７時２７分４２秒から３０秒間（すなわち、１７時２８分１２秒まで）表示する。
【００５３】
続いて、時刻が１７時２７分４２秒から３０秒間経過したときについて説明する。情報受信部３２は、この３０秒間の間に、より表示優先順位の高いカテゴリに属する情報を受信していないことから、情報切替部３４は、未だ情報表示部３３で表示していないＣ２〜Ｃ４のうち、表示優先順位がより高く、受信時刻がより古いＣ２に切り替える。図２の表示優先順位データベース４１によると、カテゴリＣの表示時間は１０秒なので、情報表示部３３は、１７時２６分０２秒に受信したＣ２を、原則として、Ｂ３の表示を終了した１７時２８分１２秒から１０秒間（すなわち、同２２秒まで）表示する。
【００５４】
続いて、時刻が１７時２８分１２秒から１０秒間経過したときについて説明する。情報受信部３２は、この１０秒間の間に、より表示優先順位の高いカテゴリに属する情報を受信していないことから、情報切替部３４は、未だ情報表示部３３で表示していないＣ３及びＣ４のうち、表示優先順位がより高く、受信時刻がより古いＣ３に切り替える。図２の表示優先順位データベース４１によると、カテゴリＣの表示時間は１０秒なので、情報表示部３３は、１７時２６分２５秒に受信したＣ３を、原則として、Ｃ２の表示を終了した１７時２８分２２秒から１０秒間（すなわち、同３２秒まで）表示する。
【００５５】
しかし、情報受信部３２は、同２９秒にカテゴリＡに属する情報□×○（以下「Ａ３」という。）を受信する。このＡ３は、カテゴリＣより表示優先順位の高いカテゴリに属するため、情報切替部３４は、情報表示部３３がＣ３を表示している間であっても、より表示優先順位の高いＡ３を情報受信部３２が受信したことに応じて、情報の切り替えを行う。図２の表示優先順位データベース４１によると、カテゴリ「Ａ」の表示時間は１分である。そこで、情報表示部３３は、１７時２８分２９秒に受信したＡ３を、原則として、１７時２８分２９秒から１分間（すなわち、１７時２９分２９秒まで）表示する。
【００５６】
なお、本実施例においては、情報切替部３４は、表示の途中で、より表示優先順位の高いカテゴリに属する情報に切り替えた情報については、同じ情報を再度表示することはしてないが、これに限られず、そのような場合に、情報切替部３４は、指定された表示時間の表示が完了するまで、次の機会に再度同じ情報を表示することとしてもよいし、連続して指定された表示時間の表示が完了するまで、次の機会に再度同じ情報を表示することとしてもよい。
【００５７】
本実施例によると、表示優先順位指定操作受付部３１は、情報表示部３３に表示する情報が属するカテゴリの表示優先順位を指定する操作を受け付ける。そして、情報切替部３４は、情報表示部３３が表示する情報を逐次切り替えるところ、表示優先順位の低いカテゴリに属する情報に関しては、より表示優先順位の高いカテゴリに属する情報を情報受信部３２が受信するまでの期間に限って、情報受信部３２が受信した順に逐次切り替える。
これにより、表示優先順位の低いカテゴリに属する情報が短時間に多数配信された場合であっても、表示優先順位が高いカテゴリに属する情報を古い順から漏れなく表示できるので、速報性の高さを維持しつつ、ユーザにとって重要な情報をより確実に表示することの可能なシステム１、情報表示端末３、方法及びプログラムを提供することができる。
また、情報切替部３４は、第１の表示優先順位のカテゴリに属する情報を全て表示した場合には、次の表示優先順位のカテゴリに属する情報に切り替え、当該次の表示優先順位のカテゴリに属する情報を全て表示した場合には、さらに次の表示優先順位のカテゴリに属する情報に切り替えることから、情報表示部３３では、空き時間がなく常に何らかの情報を表示できるので、ユーザが飽きることのないシステム１、情報表示端末３、方法及びプログラムを提供することができる。
【００５８】
さらに、本実施例によると、表示優先順位指定操作受付部３１が受け付けた表示優先順位を、該表示優先順位が高いほど、長い表示時間と関連付けて記憶する表示優先順位データベース４１を備え、情報表示部３３は、情報切替部３４が切り替えた情報を、その切り替えた情報のカテゴリの表示優先順位と関連付けられた時間の間だけ表示する。
これにより、情報表示部３３は、高い表示優先順位のカテゴリに属する情報を長時間表示するため、表示優先順位の低いカテゴリに属する情報が同時に多数配信された場合であっても、表示優先順位が高いカテゴリに属する情報を時間をかけて閲覧することの可能なシステム１、情報表示端末３、方法及びプログラムを提供することができる。
また、上位のカテゴリに属する情報を全て表示した場合には、下位のカテゴリに属する情報を短時間表示するため、下位のカテゴリに属する情報であっても、短時間でできるだけ多く把握することの可能なシステム１、情報表示端末３、方法及びプログラムを提供することができる。
【００５９】
なお、本実施形態に記載された効果は、本発明から生じる最も好適な効果を列挙したに過ぎず、本発明による効果は、本実施形態に記載されたものに限定されるものではない。
【符号の説明】
【００６０】
１  システム
２  サーバ
３  情報表示端末
１０  サーバの制御部
１１  情報配信部
３０  情報表示端末の制御部
３１  表示優先順位指定操作受付部
３２  情報受信部
３３  情報表示部
３４  情報切替部縮
４０  情報表示端末の記憶部
４１  表示優先順位データベース
４２  受信情報データベース
【図１】
2011215862.tif 000003
【図２】
2011215862.tif 000004
【図３】
2011215862.tif 000005
【図４】
2011215862.tif 000006
【図５】
2011215862.tif 000007